(57)【要約】【課題】電話帳データの登録時の操作性を向上できる電話機を提供する。【解決手段】電話帳データの登録時に、相手先毎の電話帳データを格納する各メモリー領域を既に登録済を表わすアイコン画像３５と未登録を表わすアイコン画像３６とによりマトリクス状に一覧表示し、各メモリー領域の登録状態を容易に視認して所望の登録先のメモリ領域を選択できるようにした。【選択図】      図２
2004312320.tif 000002
【特許請求の範囲】
【請求項１】
複数の電話帳データをそれぞれ登録できる複数のメモリ領域を有した記憶部と、各前記メモリ領域の登録状態を表示する表示部と、前記表示部に登録状態が表示された前記メモリ領域を選択して電話帳データを登録する操作部とを備えたことを特徴とする電話機。
【請求項２】
登録済の前記メモリ領域を表わす画像と未登録の前記メモリ領域を表わす画像とによって各前記メモリ領域を一覧表示したことを特徴とする請求項１に記載の電話機。
【請求項３】
前記操作部によりカーソル移動して一覧表示された前記メモリ領域から電話帳データを登録する前記メモリ領域を選択できることを特徴とする請求項２に記載の電話機。
【請求項４】
各前記メモリ領域に割り当てられたメモリ番号を前記表示部に表示し、前記操作部によりメモリ番号を入力して電話帳データを登録する前記メモリ領域を選択できることを特徴とする請求項１〜請求項３のいずれかに記載の電話機。
【発明の詳細な説明】
【０００１】
【発明の属する技術分野】
本発明は電話番号等の電話帳データを登録できる電話帳機能を有した電話機に関し、特に登録先のメモリ領域を選択可能な電話機に関する。
【０００２】
【従来の技術】
携帯電話機や据置き型の電話機は氏名、電話番号、メールアドレス等の電話帳データを登録して記憶する電話帳機能が設けられている。特許文献１には電話帳機能を有する携帯電話機が開示されている。この携帯電話機はＥＥＰＲＯＭ等から成る記憶部を有し、各種のワークデータ、管理データ、電子メール等のデータとともに電話帳データを区分けして記憶部に格納できるようになっている。
【０００３】
記憶部内で区分けされた電話帳データを格納する領域は、例えば５００件の電話帳データを１件毎に登録する複数のメモリ領域に更に区分けされている。ユーザーにより電話帳データが入力されると、未登録のメモリ領域を検索して該電話帳データが記憶される。これにより電話帳データを登録し、登録された電話帳データを次回から取り出して電話の通話や電子メールの送受信を行うことができる。
【０００４】
また、各メモリ領域にはメモリ番号が付され、ユーザーが所望のメモリ番号のメモリ領域を指定して電話帳データを登録できるようになっている。これにより、相手先に応じて所望のメモリ番号のメモリ領域に電話帳データを格納して、メモリ番号によって電話帳データの管理を容易に行うことができる。
【０００５】
【特許文献１】
特開２００１−２７５１６６号公報（第２頁−第３頁、第１図）
【０００６】
【発明が解決しようとする課題】
しかしながら、上記の従来の電話機によると、メモリ番号を指定する際に指定したメモリ番号のメモリ領域が既に登録済であると、再度メモリ番号を指定する必要がある。このため、何回もメモリ番号を指定する操作を行う場合が生じ、操作性が悪い問題があった。
【０００７】
本発明は、電話帳データの登録時の操作性を向上できる電話機を提供することを目的とする。
【０００８】
【課題を解決するための手段】
上記目的を達成するために本発明は、複数の電話帳データをそれぞれ登録できる複数のメモリ領域を有した記憶部と、各前記メモリ領域の登録状態を表示する表示部と、前記表示部に登録状態が表示された前記メモリ領域を選択して電話帳データを登録する操作部とを備えたことを特徴としている。
【０００９】
この構成によると、電話帳データを入力すると、登録済のメモリ領域や未登録のメモリ領域が表示部に表示され、ユーザーは未登録のメモリを容易に選択して電話帳データを登録することができる。
【００１０】
登録済のメモリ領域を表わす画像と未登録のメモリ領域を表わす画像とにより各メモリ領域を一覧表示すると、容易に各メモリ領域の登録状態を判別できる。また、一覧表示された各メモリ領域の表示領域内を操作部によりカーソル移動して未登録のメモリ領域を容易に選択できる。
【００１１】
また、各メモリ領域に割り当てられたメモリ番号が表示部に表示され、操作部によって未登録のメモリ領域のメモリ番号を視認して入力することによりメモリ領域を容易に選択できる。
【００１２】
【発明の実施の形態】
以下に本発明の実施形態を図面を参照して説明する。図１は一実施形態の携帯電話機の構成を示すブロック図である。携帯電話機１はＣＰＵから成る制御部２を備え、制御部２によって携帯電話機１の各部を制御する。制御部２には表示部３、操作部４、記憶部５、通信部６、音声処理部７、警告音出力部８がそれぞれ接続されている。
【００１３】
表示部３は液晶パネルや有機ＥＬ等から成り、操作メニューや通信状況等を表示するとともに、電話帳データや電子メール等の各種データを表示する。操作部４は、表示部３に表示されたカーソル３１を移動する十字キー４ａ（図２参照）や電話番号や電子メールを入力する文字キー４ｂ（図２参照）等の複数の操作キーから成っている。
【００１４】
記憶部５はＥＥＰＲＯＭ等から成り、各種のワークデータ、管理データ、電子メール等のデータとともに電話帳データを区分けして格納する。電話帳データは氏名、電話番号、メールアドレス、住所等から成っている。また、記憶部５内で区分けされた電話帳データを格納する領域は、例えば５００件の電話帳データを１件毎に登録する複数のメモリ領域に更に区分けされている。
【００１５】
通信部６はアンテナ９が接続され、アンテナ９を介して電波を送受信する。音声処理部７はスピーカ１０及びマイク１１が接続されている。通信部６で受信した受信信号は音声処理部７により音声信号に変換してスピーカ１０に送られる。マイク１１により集音された音声は音声処理部７により音声信号に変換して通信部６に送信される。警告音出力部８は異常時の警告処理を行い、ブザー（不図示）により警告音を出力する。
【００１６】
図２は携帯電話機１の平面図を示している。携帯電話機１は筐体１３の上部に表示部３を配し、下部に操作部４を配して表示部３を視認しながら操作部４を操作できる。表示部３の上方にはスピーカ１０が配され、操作部４の下方にマイク１１を配して送受話可能になっている。また、筐体１３の上方にアンテナ９が突出して設けられている。
【００１７】
上記構成の携帯電話機１の電話帳データを登録する動作を図３のフローチャートを参照して説明する。操作部４の所定の操作キーを操作すると図３の電話帳登録処理が呼び出される。ステップ＃１１では文字キー４ｂ等の操作によって氏名、電話番号、メールアドレス等の電話帳データが入力される。電話帳データの入力が完了するとステップ＃１２に移行する。
【００１８】
ステップ＃１２では電話帳データを格納する各メモリ領域の登録状態が表示される。前述の図２はこの時の表示部３の表示状態を示している。表示部３には、入力されたメモリー番号を表示する入力表示部３１と、各メモリー領域をマトリクス状に一覧表示するテーブル部３２とが表示される。テーブル部３２の行番号３２ａ及び列番号３２ｂによって各メモリー領域のメモリ番号が表わされている。各メモリー領域は既に登録済を表わすアイコン画像３５と未登録を表わすアイコン画像３６とにより登録状態が示されている。
【００１９】
ステップ＃１３、＃１４では文字キー４ｂの操作によってメモリ番号が入力されるか、十字キー４ａの操作によって表示部３のカーソル３７が移動されるまで待機する。メモリ番号が入力されるとステップ＃１６に移行する。ステップ＃１６では文字キー４ｂにより入力されたメモリ番号を入力表示部３１に表示し、ステップ＃１７で対応するメモリ領域を示す位置にカーソル３７を移動する。
【００２０】
十字キー４ａの操作によって表示部３のカーソル３７が移動されると、ステップ＃１５に移行して、カーソルが配置されたメモリ領域のメモリ番号を入力表示部３１に表示する。
【００２１】
ステップ＃１８では入力表示部３１に表示されたメモリ番号のメモリ領域を所定の操作キーによって選択する操作が行われた否かが判断される。十字キー４ａや文字キー４ｂが操作されるとステップ＃１３に戻る。メモリ領域を選択する操作が行われるとステップ＃１９に移行して選択したメモリ領域が未登録か否かが判断される。
【００２２】
選択したメモリ領域が登録済の場合はステップ＃１３に戻る。選択したメモリ領域が未登録の場合はステップ＃２０で記憶部５の該メモリ領域に電話帳データが記憶され、電話帳データの登録が完了する。
【００２３】
本実施形態によると、各メモリ領域の登録及び未登録の登録状態を表示部３に表示するので、相手先に応じて所望のメモリ番号のメモリ領域に電話帳データを格納する際に容易に未登録のメモリ領域を選択することができる。従って、所望のメモリ番号のメモリ領域に登録する際に何回も操作することがなく、携帯電話機１の操作性を向上させることができる。尚、メモリ領域の登録状態を判別できればよいので、未登録のメモリ領域のメモリ番号のみを一覧表示してもよい。
【００２４】
また、登録済と未登録を表わすアイコン画像３２ａ、３２ｂによりテーブル部３２ａに各メモリ領域を一覧表示するので、各メモリ領域の登録状態を容易に視認することができる。更に、一覧表示された各メモリ領域の表示領域上をカーソル移動することにより簡単にメモリ番号の選択を行うことができる。
【００２５】
本実施形態において、携帯電話機について説明しているが、電話帳機能を有する据置き型の電話機であってもよい。
【００２６】
【発明の効果】
本発明によると、各メモリ領域の登録状態を表示部に表示するので、相手先に応じて所望のメモリ番号のメモリ領域に電話帳データを格納する際に容易に未登録のメモリ領域を選択することができる。従って、メモリ領域の選択時に何回も操作することがなく、電話機の操作性を向上させることができる。
【００２７】
また、登録済と未登録を表わす画像により表示部に各メモリ領域を一覧表示するので、登録状態を容易に視認することができる。更に、一覧表示された各メモリ領域の表示領域上をカーソル移動することにより簡単にメモリ番号の選択を行うことができる。
【図面の簡単な説明】
【図１】は、本発明の実施形態の携帯電話機の構成を示すブロック図である。
【図２】は、本発明の実施形態の携帯電話機を示す平面図である。
【図３】は、本発明の実施形態の携帯電話機の動作を示すフローチャートである。
【符号の説明】
１    携帯電話機
２    制御部
３    表示部
４    操作部
４ａ  十字キー
４ｂ  文字キー
５    記憶部
６    通信部
７    音声処理部
８    警告出力部
１３    筐体
３１    入力表示部
３２    テーブル部
３５、３６  アイコン画像
３７    カーソル
【図１】
2004312320.tif 000003
【図２】
2004312320.tif 000004
【図３】
2004312320.tif 000005